(57)【要約】  第１のモード切替の姿勢および第２のモード切替の姿勢が遠隔制御装置に登録され、第１のモード切替の姿勢が前記溶接電流のスイッチモードに対応し、第２のモード切替の姿勢が前記溶接電圧のスイッチモードに対応している。遠隔制御装置の姿勢が第１のモード切替の姿勢のとき、溶接電流のスイッチモードが設定され、遠隔制御装置の姿勢が第２のモード切替の姿勢のとき、溶接電圧のスイッチモードが設定されている。溶接電流のスイッチモードまたは溶接電圧のスイッチモードが設定されると溶接条件を変更することができる。
2017043058.tif 000002
【特許請求の範囲】
【請求項１】
溶接電源の条件を設定する遠隔制御装置による溶接条件設定方法であって、
第１のモード切替の姿勢および第２のモード切替の姿勢が前記遠隔制御装置に登録され、
前記第１のモード切替の姿勢が前記溶接電流のスイッチモードに対応し、
前記第２のモード切替の姿勢が前記溶接電圧のスイッチモードに対応し、
前記遠隔制御装置の姿勢が前記第１のモード切替の姿勢のとき、前記溶接電流のスイッチモードが設定され、
前記遠隔制御装置の姿勢が前記第２のモード切替の姿勢のとき、前記溶接電圧のスイッチモードが設定され、
前記溶接電流のスイッチモードまたは前記溶接電圧のスイッチモードが設定されると溶接条件を変更することができる溶接条件設定方法。
【請求項２】
前記遠隔制御装置における前記溶接電流のスイッチモードまたは前記溶接電圧のスイッチモードの設定は、
重力方向と前記遠隔制御装置の姿勢との位置関係を検知することにより行う請求項１記載の溶接条件設定方法。
【請求項３】
前記第１のモード切替の姿勢と、前記第２のモード切替の姿勢は、互いに異なる姿勢である請求項１に記載の溶接条件設定方法。
【請求項４】
前記遠隔制御装置が延伸する方向を第１の方向とし、
前記第１の方向と前記重力方向とが一致する時、前記溶接電流のスイッチモードに切替り、
溶接電流の値を変更できる請求項１または２に記載の溶接条件設定方法。
【請求項５】
前記遠隔制御装置が延伸する方向を第１の方向とし、
前記第１の方向と前記重力方向とが一致する時、前記溶接電圧のスイッチモードに切替り、
溶接電圧の値を変更できる請求項１または２に記載の溶接条件設定方法。
【請求項６】
前記遠隔制御装置が上部に表示部を有し、
前記表示部の位置が上方に位置する姿勢を前記第１のモード切替の姿勢として前記遠隔制御装置に登録し、
前記第１のモード切替の姿勢に対して前記遠隔制御装置の姿勢を変えて、前記表示部の位置が左側または右側に位置する姿勢を前記第２のモード切替の姿勢として前記遠隔制御装置に登録する請求項３記載の溶接条件設定方法。
【請求項７】
前記遠隔制御装置は長方形状であり、
前記遠隔制御装置が垂直方向に延伸する姿勢を、前記第１のモード切替の姿勢とし、
前記遠隔制御装置が水平方向に延伸する姿勢を、前記第２のモード切替の姿勢とする請求項３記載の溶接条件設定方法。
【請求項８】
溶接条件設定装置の姿勢に応じて溶接電流のスイッチモードまたは溶接電圧のスイッチモードが設定され、溶接電流または溶接電圧を変更することができる溶接条件設定装置であって、
前記溶接条件設定装置の表面側の上部に形成される表示部と、
凸状で、前記溶接条件設定装置の表面側の下部に形成され、溶接条件を変更することができる操作スイッチと、
を備えた溶接条件設定装置。
【請求項９】
前記溶接条件設定装置は、前記表面側から見て前記上部の幅が下部の幅より大きい請求項８記載の溶接条件設定装置。
【請求項１０】
前記溶接条件設定装置は、前記表面側から見て、前記上部の幅が下部の幅より大きいＴ字状である請求項９記載の溶接条件設定装置。
【発明の詳細な説明】
【技術分野】
【０００１】
本開示は溶接電源に対して、溶接条件の設定および変更を行う溶接条件設定方法および溶接条件設定装置に関する。
【背景技術】
【０００２】
従来、溶接電源において材質や溶接姿勢、目的等の変化により溶接パラメータの調整を行う際には、溶接電源の操作部での調整や遠隔制御装置を用いて調整を行う。特に溶接する対象物が大型の場合、溶接電源を移動させず、溶接作業者のみが移動することがある。従って、溶接作業者と溶接電源が離れてしまう場合がある。そこで、溶接作業者がパラメータの調整を行う際における移動時間短縮を目的として、遠隔制御装置を溶接作業者の手元に置き、パラメータの調整を行うことができる技術が開示されている（例えば特許文献１）。
【先行技術文献】
【特許文献】
【０００３】
【特許文献１】特開平１０−３０５３６６号公報
【発明の概要】
【０００４】
本開示の溶接条件設定方法は、溶接電源の条件を設定する遠隔制御装置による溶接条件設定方法であって、第１のモード切替の姿勢および第２のモード切替の姿勢が遠隔制御装置に登録されている。第１のモード切替の姿勢が溶接電流のスイッチモードに対応し、第２のモード切替の姿勢が溶接電圧のスイッチモードに対応している。遠隔制御装置の姿勢が第１のモード切替の姿勢のとき、溶接電流のスイッチモードが設定され、遠隔制御装置の姿勢が第２のモード切替の姿勢のとき、溶接電圧のスイッチモードが設定される。溶接電流のスイッチモードまたは溶接電圧のスイッチモードが設定されると溶接条件を変更することができる。
【０００５】
本開示の溶接条件設定装置は、溶接条件設定装置の姿勢に応じて溶接電流のスイッチモードまたは溶接電圧のスイッチモードが設定され、溶接電流または溶接電圧を変更することができる溶接条件設定装置であって、溶接条件設定装置の表面側の上部に形成される表示部と、凸状で前記溶接条件設定装置の表面側の下部に形成され溶接条件を変更することができる操作スイッチと、を有する。
【図面の簡単な説明】
【０００６】
【図１】本実施の形態における遠隔制御装置を含む溶接システムの概略構成を示す図
【図２Ａ】本実施の形態における遠隔制御装置の外観図
【図２Ｂ】本実施の形態における遠隔制御装置の外観図
【図２Ｃ】本実施の形態における遠隔制御装置の外観図
【図３Ａ】本実施の形態における遠隔制御装置の姿勢の変化を表す図
【図３Ｂ】本実施の形態における遠隔制御装置の姿勢の変化を表す図
【図４】本実施の形態における遠隔制御装置の処理を表すフローチャート
【図５Ａ】本実施の形態における遠隔制御装置表示部の設定画面を表す図
【図５Ｂ】本実施の形態における遠隔制御装置表示部の設定画面を表す図
【図６Ａ】本実施の形態における遠隔制御装置の姿勢の変化と設定方法を表す図
【図６Ｂ】本実施の形態における遠隔制御装置の姿勢の変化と設定方法を表す図
【図６Ｃ】本実施の形態における遠隔制御装置の姿勢の変化と設定方法を表す図
【図７】本実施の形態における遠隔制御装置の姿勢と重力方向の傾きを表す図
【発明を実施するための形態】
【０００７】
本開示の実施の形態の説明に先立ち、従来の問題点を簡単に説明する。
【０００８】
上述した特許文献１が示すような無線式の遠隔制御装置を用いる場合、溶接作業者は溶接前に遠隔制御装置の操作面や表示を見ながら溶接パラメータの調整を行い、溶接作業を行う。溶接作業中は溶接作業者が遮光用の溶接面を着用しているために、遠隔制御装置の操作面や表示を見ることができず、調整を行うことが困難である。
【０００９】
しかし、溶接作業中に溶接パラメータを連続的に調整したいという要望が高まっている。従来、溶接作業中に溶接パラメータの調整を行う場合、遠隔制御装置をトーチとは反対の手に持ちながら手さぐりでスイッチを探して調整を行っていたが、遠隔制御装置にボリュームまたはスイッチ等が複数個存在する場合、ボリュームまたはスイッチ等の位置がどこにあるのか認識できない。更に、ボリュームまたはスイッチ等を探しているうちに、意図せず別のボリュームやスイッチに触れてしまい、誤った設定をしてしまうなどの問題が起こる。
【００１０】
つまり、遠隔制御装置のボリュームやスイッチ等の個数が増えるほど誤った設定をしてしまいやすく、使用するには作業者の慣れが必要である。
【００１１】
さらに、高電流を用いる作業者は厚手の手袋を着用していることが多く、手の感覚が鈍り、ボリュームまたはスイッチに触れていることを認識するのに時間がかかり、所望の設定を行うのは一層困難であった。
【００１２】
また、遠隔制御装置には設定項目が複数あることが多く、仮にボリュームまたはスイッチの位置が分かったとしても、遮光用の溶接面を頭部に装着している等の理由により表示部が見えない場合が多い。よって作業者がどの設定項目を変更しているのか分かりづらく、何を調整しているのかを溶接状態の変化を確認するまで判断することができないという問題があった。
【００１３】
上記理由により、連続的な溶接が好ましい場合であっても、安定的に溶接ができるよう、一度溶接作業を中断し遮光用の溶接面を外して（遮光状態を開放して）ボリュームまたはスイッチを調整し再度溶接を行う必要がある。
【００１４】
また、別の方法として、作業者とは別の第三者がボリュームまたはスイッチを調整する方法がある。
【００１５】
本開示は、溶接パラメータの調整を作業者単独で、簡単に所望の設定が可能である。
【００１６】
（実施の形態）
以下、本開示の実施の形態について図面を参照しながら詳細に説明する。
【００１７】
図１に示すように、溶接システムは、溶接電源２、送給装置３、トーチ４と、を有する。溶接電源２と送給装置３が、パワーケーブル５１で接続され、溶接電源２とトーチ４が、パワーケーブル５２で接続されている。さらに、無線方式等で溶接電源２を遠隔操作できる遠隔制御装置１（溶接条件設定装置）は溶接電源２から離れた位置に配置される。
【００１８】
溶接電源２は溶接のために必要な電力を変換しトーチ４に供給する。溶接電源２は、操作部２１、記憶部２２、制御部２４、無線通信部２６、出力部２８と、を有する。
【００１９】
制御部２４は溶接電源２のパラメータを制御する。記憶部２２は各パラメータ等を記憶する。無線通信部２６は無線通信用のアンテナ２７を介して遠隔制御装置１との送受信を行う。出力部２８は制御部２４の設定に対応する電力を送給装置３およびトーチ４に出力する。
【００２０】
また、遠隔制御装置１は、操作部１１、記憶部１２、測定部１３、制御部１４、表示部１５、無線通信部１６およびアンテナ１７を有する。
【００２１】
作業者は遠隔制御装置１に操作部１１から手入力できる。測定部１３は加速度を測定することができる。表示部１５には、制御部１４からの信号が表示される。記憶部１２には、溶接パラメータ情報と通信パラメータ情報が記憶される。溶接電源２と遠隔制御装置１との間では、無線信号を送受信する。遠隔制御装置１においては、無線通信部１６およびアンテナ１７で、無線信号の送受信が行われる。制御部１４が無線通信部１６およびアンテナ１７による無線信号の送受信を制御する。
【００２２】
遠隔制御装置１は測定部１３に加速度センサ１８を有する。加速度センサ１８の出力値を用いて、制御部１４は、遠隔制御装置１のモード切替の姿勢を判断するための演算を行う。
【００２３】
ここで、スイッチモードの切替について説明する。
【００２４】
予め遠隔制御装置１には、溶接電流のスイッチモードに対応するモード切替の姿勢と、溶接電圧のスイッチモードに対応するモード切替の姿勢が登録されている。
【００２５】
そして、制御部１４では、測定部１３からの出力値を用いて、演算処理が行われ、予め設定された期間以上、遠隔制御装置１がモード切替の姿勢になっていると判断されると、対応するスイッチモード（溶接電流のスイッチモードまたは溶接電圧のスイッチモード）に切替わる。
【００２６】
つまり、遠隔制御装置１は、重力方向と遠隔制御装置１の姿勢との位置関係を検知することにより、遠隔制御装置１の姿勢に対応するスイッチモード（溶接電流のスイッチモードまたは溶接電圧のスイッチモード）に切替わる。
【００２７】
そしてスイッチモード（溶接電流のスイッチモードまたは溶接電圧のスイッチモード）が切替わった後、操作部１１からの入力により溶接条件（電流値または電圧値）が変更される。その溶接条件の変更結果が、無線通信部１６およびアンテナ１７を介して溶接電源２に送信される。
【００２８】
なお、本実施形態では、遠隔制御装置１と溶接電源２と間の通信方式は無線方式で行っているが、比較的近距離で操作し、配線を気にしなくてよい場合は、遠隔制御装置１と溶接電源２との間の通信方式は有線方式で行っても良い。
【００２９】
次に遠隔制御装置１（溶接条件設定装置）の形状について、図２Ａ〜図２Ｃを参照しながら説明する。
【００３０】
遠隔制御装置１は、作業者の胸ポケット等に収納可能な大きさであって、長方形状である。遠隔制御装置１の表面側の上部には、表示部１５が配置されている。遠隔制御装置１の表面側の下部には、凸状の操作スイッチ（上スイッチ６１）および凸状の操作スイッチ（下スイッチ６２）が形成されている。このような構成により、作業者は、遠隔制御装置１を片手で、裏面側および側面側を保持することができる。
【００３１】
図２Ａ〜図２Ｃに示す遠隔制御装置１は、上スイッチ６１、下スイッチ６２の少なくとも２つのスイッチと、表示部１５とを有する。作業者が遠隔制御装置１を片手で握った状態でも、２つのスイッチ（上スイッチ６１および下スイッチ６２）を親指で無理なく操作できるように、遠隔制御装置１の側面から例えば６０ｍｍ以内に上スイッチ６１および下スイッチ６２は配置されている。このような構成により作業者が遠隔制御装置１の上スイッチ６１および下スイッチ６２を容易に操作することができる。
【００３２】
つまり、本開示は、遠隔制御装置１（溶接条件設定装置）の姿勢に応じて溶接電流のスイッチモードまたは溶接電圧のスイッチモードが設定され、溶接電流または溶接電圧を変更することができる遠隔制御装置１（溶接条件設定装置）に関する。
【００３３】
そして、遠隔制御装置１の表面側の上部に形成される表示部１５と、凸状で遠隔制御装置１の表面側の下部に形成され溶接条件を変更することができる操作スイッチ（上スイッチ６１または下スイッチ６２）を有する。
【００３４】
また、遠隔制御装置１は、作業者が遮光面を装着した状態で筐体の向きが分かりやすい構造になっている。
【００３５】
例えば、図２Ａに示す遠隔制御装置１ａは長方形状であり、かつ、遠隔制御装置１ａは、表面側から見て上部の幅が下部の幅より大きい。この構成により、作業者が遠隔制御装置１を手で握った時に筐体の向きが分かる。
【００３６】
例えば、図２Ｂに示す遠隔制御装置１ｂは、下部の側部側にグリップ部を有する。この構成により、作業者が遠隔制御装置１を手で握った時に筐体の向きが分かる。
【００３７】
例えば、図２Ｃに示す遠隔制御装置１ｃは、表面側から見て、上部の幅が下部の幅より大きいＴ字状である。この構成により、作業者が遠隔制御装置１を手で握った時に筐体の向きが分かる。
【００３８】
図２Ａ〜図２Ｃに示すように、遠隔制御装置１を、上下／表裏が非対称な形状の筐体とすることにより、作業者が遠隔制御装置１を握った際、作業者は遠隔制御装置１の姿勢が分かる。
【００３９】
なお、図２Ａ〜図２Ｃに示す遠隔制御装置１は、長手方向の長さと短手方向の長さとの差が大きい。よって、作業者が遠隔制御装置１を握った感覚で、長手方向が分かる。しかしながら、長手方向の長さと短手方向の長さに差がなくても、表示部１５を遠隔制御装置１（溶接条件設定装置）の上部に形成し、遠隔制御装置１（溶接条件設定装置）の下部に操作スイッチ（上スイッチ６１および下スイッチ６２）を形成しておけば、作業者は筐体の向きが分かる。つまり、本開示の遠隔制御装置１は必ずしも長方形状である必要はない。
【００４０】
次に、溶接電源２と遠隔制御装置１との間での無線通信について図１、図３Ａ、図３Ｂを用いて説明する。
【００４１】
溶接電源２と遠隔制御装置１との間で無線通信を行う前に、互いの無線認証を一致させて無線通信を確立する必要がある。遠隔制御装置１は操作部１１から通信パラメータの設定を行う。溶接電源２は操作部２１から通信パラメータの設定を行う。溶接電源２および遠隔制御装置１に設定される通信パラメータは同様のものである。
【００４２】
作業者は、溶接電源２と、溶接電源２に対する無線通信を確立させた遠隔制御装置１と、を使用する。作業者は、トーチ４を持たない方の手に遠隔制御装置１を持ち、遠隔制御装置１を持つ手の親指を遠隔制御装置１の上スイッチ６１または下スイッチ６２の上に置いて操作を行う。
【００４３】
次に、遠隔制御装置１の姿勢に応じてスイッチモードの切替えを行う操作について詳細に説明する。
【００４４】
まず、長方形状の遠隔制御装置１の筐体におけるモード切替の姿勢の方向を定義する。例えば、遠隔制御装置１を表面側から見て、長手方向（図３Ａに第１方向として示す）が重力方向と沿う方向の姿勢を、第１のモード切替の姿勢とする。また、遠隔制御装置１を表面側から見て短手方向（図３Ｂに第２方向として示す）が重力方向に沿う方向の姿勢を、第２のモード切替の姿勢とする。そして、第１のモード切替の姿勢と第２のモード切替の姿勢を遠隔制御装置１に予め登録しておく。
【００４５】
本実施形態では、遠隔制御装置１の姿勢が第１のモード切替の姿勢のとき、溶接電流のスイッチモードが設定され、遠隔制御装置１の姿勢が第２のモード切替の姿勢のとき、溶接電圧のスイッチモードが設定されているものとして説明する。
【００４６】
作業者は、設定したいスイッチモードに切替えるため、遠隔制御装置１の姿勢を操作する。遠隔制御装置１の姿勢に応じて、溶接電流のスイッチモードまたは溶接電圧のスイッチモードなどに切替わる。
【００４７】
溶接電流のスイッチモードに切替わった状態では、スイッチ（上スイッチ６１または下スイッチ６２）を所定の期間押すことで、溶接電流の値を増減させることができる。同様に、溶接電圧のスイッチモードに切替わった状態では、スイッチ（上スイッチ６１または下スイッチ６２）を所定の期間押すことで、溶接電圧の値を増減させることができる。
【００４８】
次に具体的な遠隔制御装置１の操作について説明する。
【００４９】
上述した通り、図３Ａに示すように、表面側の上部に表示部１５を有する長方形状の遠隔制御装置１の姿勢が垂直方向に延伸する姿勢（立っている姿勢）がモード切替時の溶接電流のスイッチモードの姿勢と定義されており、図３Ｂに示すように、長方形状の遠隔制御装置１の姿勢が水平方向に延伸する姿勢（遠隔制御装置１を横に倒した姿勢）をモード切替時の溶接電圧のスイッチモードの姿勢と定義されているとする。
【００５０】
溶接電流の調整を行いたい場合は、遠隔制御装置１を立て、溶接電流のスイッチモードに切替える。この状態で、上スイッチ６１を０．５秒押し続けると、溶接電流に対して、電流増減間隔分の２Ａが増加されるように設定されている。さらに０．５秒以上の長押しをすると、溶接電流を０．５秒毎に電流増減間隔分の２Ａずつ増加するように設定されている。溶接電流を減少させたい場合には下スイッチ６２を用いて同様の操作を行って、溶接電流を減少させることが可能である。
【００５１】
なお、上述した値は一例であり、時間および電流値は自由に設することができる。
【００５２】
一方、溶接電圧の調整を行いたい場合は、遠隔制御装置１を横にし、姿勢を重力方向または反重力方向に向かう方向（遠隔制御装置１を倒した姿勢）にし、溶接電圧のスイッチモードに切替える。上スイッチ６１および下スイッチ６２を操作することで、電流調整時と同様に溶接電圧の増減が可能である。
【００５３】
つまり、本実施形態では、溶接電流のスイッチモードまたは溶接電圧のスイッチモードが設定されると溶接条件を変更することができる。
【００５４】
なお、本実施形態では、遠隔制御装置１の溶接電流のスイッチモードの姿勢を図３Ａに示すように立て姿勢と設定し、溶接電圧のスイッチモードの姿勢を図３Ｂに示すように横姿勢と設定している。しかしながら、必ずしもこのように設定する必要はない。例えば、溶接電流のスイッチモードの姿勢を横姿勢とし、溶接電圧のスイッチモードの姿勢を立て姿勢として設定としても良い。
【００５５】
次に、図４のフローチャートを用いながら遠隔制御装置１の処理の一例について説明する。
【００５６】
まず、遠隔制御装置１が、溶接電源２から溶接電流・溶接電圧の情報を受信する（ＳＴＥＰ１）。
【００５７】
遠隔制御装置１が溶接電流および溶接電圧の情報を受信すると、受信した溶接電流または溶接電圧のデータを遠隔制御装置１の表示部１５に表示する（ＳＴＥＰ２）。遠隔制御装置１は、遠隔制御装置１の姿勢方向を算出するため、測定部１３の加速度センサ１８の検出結果を読み込む（ＳＴＥＰ３）。加速度センサ１８は３軸方向（Ｘ軸方向、Ｙ軸方向、Ｚ軸方向）の値を検出し、それらの値から制御部１４は遠隔制御装置１の姿勢方向（姿勢データ）を算出する（ＳＴＥＰ４）。
【００５８】
次に、制御部１４で算出した姿勢データを用いて、遠隔制御装置１が、溶接電流のスイッチモードへの切替の姿勢であるか溶接電圧のスイッチモードへの切替の姿勢であるかを判断する。溶接電流のスイッチモードへの切替の姿勢であると判断されると（ＳＴＥＰ５、Ｙｅｓ）、溶接電流のスイッチモードの画面が表示部１５に表示される（ＳＴＥＰ７）。溶接電流のスイッチモードへの切替の姿勢であると判断されず（ＳＴＥＰ５、Ｎｏ）、溶接電圧のスイッチモードへの切替の姿勢であると判断されると（ＳＴＥＰ６、Ｙｅｓ）、溶接電流のスイッチモードの画面が表示部１５に表示される（ＳＴＥＰ７）。
【００５９】
ＳＴＥＰ７において、例えば、マーク（例えば、図３Ａに示すような二重矢印）を用いて、電流のスイッチモードまたは電圧のスイッチモードのいずれのモードになっているかを表示してもよい。また、スイッチモードの選択先、選択先のモード切替の姿勢、電流または電圧の値（溶接電源２の記憶部２２に記憶した値）を、点滅表示やマークを用いて表示部１５に強調して表示しても良い（ＳＴＥＰ７）。
【００６０】
ここで、図３Ａに示すように電流のスイッチモードが強調表示されているとする（ＳＴＥＰ７）。この状態で、上スイッチ６１が０．５秒間押されたら２Ａ増加し（ＳＴＥＰ８）、下スイッチ６２が０．５秒間押されたら２Ａ減少する（ＳＴＥＰ９）。そして、遠隔制御装置１は、選択されたスイッチモードの姿勢情報（ここでは、溶接電流のスイッチモード）と押されたスイッチの情報（上スイッチ６１または下スイッチ６２により実際に増加または減少される量の情報）を溶接電源２へ送信する（ＳＴＥＰ１０）。
【００６１】
溶接電源２は、遠隔制御装置１から送られた情報に基づいた溶接パラメータを調整し、出力に反映させる。また、溶接電源２は、反映した値を遠隔制御装置１へ送信する。
【００６２】
また、別の実施の形態として、図３Ｂに示すように電圧のスイッチモードが強調表示されているとする（ＳＴＥＰ７）。この状態で、上スイッチ６１が０．５秒間押されたら０.２Ｖ増加し（ＳＴＥＰ８）、下スイッチ６２が０．５秒間押されたら０.２Ｖ減少する（ＳＴＥＰ９）。そして、遠隔制御装置１は、選択されたスイッチモードの姿勢情報（ここでは、溶接電圧のスイッチモード）と押されたスイッチの情報（上スイッチ６１または下スイッチ６２により実際に増加または減少される量の情報）を溶接電源２へ送信する（ＳＴＥＰ１０）。
【００６３】
[増減間隔の変更方法]
次に、電流または電圧の増減間隔の値の変更方法について図５Ａおよび図５Ｂを参照しながら説明する。
【００６４】
上スイッチ６１または下スイッチ６２の操作による電流または電圧の増減間隔については、変更が可能である。初期設定の電流増減間隔が２Ａで、電流増減間隔を４Ａへ変更する場合の例を用いて説明する。
【００６５】
作業者は、遠隔制御装置１の表示部１５を見ながら変更を行うものとする。スイッチモードとして溶接電流のスイッチモードまたは溶接電圧のスイッチモードが選択されているとする。この状態にて作業者が決定コマンドを押す（例えば、上スイッチ６１を押してから０．５秒未満の時、下スイッチ６２を押す）ことで、表示部１５の表示内容が、図５Ａに示す設定メニュー画面に移行する。この時、スイッチモードは、増減間隔を切替えることができる間隔設定モードに移行する。
【００６６】
次に、設定メニュー画面上で上スイッチ６１または下スイッチ６２を用いて、『間隔設定』の項目まで矢印を移動させ、間隔設定モードを選択する（図５Ａ参照）。次に、上スイッチ６１または下スイッチ６２を用いて、変更を行いたい項目まで表示部１５の矢印を移動させ、決定コマンドを押すと、増減間隔量変更の画面（図５Ｂ参照）に切替わる。増減間隔量変更の画面上で上スイッチ６１または下スイッチ６２を用いて、『電流増減間隔』の項目まで矢印を移動させ、決定コマンドを押す。この状態で、上スイッチ６１または下スイッチ６２を用いて電流の増減間隔の値を変更することができる。
【００６７】
なお、電圧の増減間隔の値については、電流の増減間隔の値を変更する場合と同様の操作で変更できるので、電圧の増減間隔の値の変更については説明を省略する。
【００６８】
[モード切替の姿勢の変更方法]
次に、遠隔制御装置１の姿勢に対応するモード切替の姿勢の対応関係（紐づけ）を変更する方法について説明する。
【００６９】
作業者が溶接電流のスイッチモードに対応する遠隔制御装置１の姿勢を変更する方法の一例について図６Ａ〜図６Ｃを用いて説明する。
【００７０】
まず、図６Ａに示すように、長方形状の遠隔制御装置１の長手方向を「第１方向（Ｙ軸方向）」、短手方向を「第２方向（Ｘ軸方向）」、遠隔制御装置１の表示部１５が配置されている表示面に対しての鉛直方向を「第３方向（Ｚ軸方向）」、と定義する。
【００７１】
本実施形態では、遠隔制御装置１の第１の方向が重力方向に沿う方向になるような遠隔制御装置１の姿勢（図６Ｂ参照）が、溶接電流のスイッチモードに切替わるモード切替の姿勢（以下、『電流姿勢』と表す）として登録されている。また、遠隔制御装置１の第２の方向が重力方向（または反重力方向）に沿う方向になるような遠隔制御装置１の姿勢（図６Ｃ参照）が、溶接電圧のスイッチモードに切替わるモード切替の姿勢（以下、『電圧姿勢』と表す）として登録されている。
【００７２】
次に、登録されているモード切替の姿勢を変更する場合について説明する。
【００７３】
まず、溶接電流のスイッチモードに切替わるモード切替の姿勢の変更方法について説明する。設定メニュー画面上で上スイッチ６１または下スイッチ６２を用いて、図６Ａに示すように『姿勢設定』の項目まで二重矢印を異動させ、姿勢設定モードを選択する。次に、上スイッチ６１または下スイッチ６２を用いて、二重矢印を移動させ、電流姿勢を選択し、遠隔制御装置１を第２の方向が重力方向（または反重力方向）に沿う状態にして登録する。
【００７４】
なお、遠隔制御装置１に登録される『電流姿勢』は、作業者が遠隔制御装置１を手に保持した状態で操作した時に、遠隔制御装置１の電流姿勢の方向を重力方向に沿うように、容易に向けることができる方向とするのが好ましい。
【００７５】
なお、『電圧姿勢』の変更についても『電流姿勢』の変更と同様であるのでここでは説明を省略する。
【００７６】
溶接電流のモード切替の姿勢（電圧姿勢）と溶接電圧のモード切替の姿勢（電流姿勢）とは、互いに異なる姿勢とする。例えば、電圧姿勢と電流姿勢とは、９０度異なるようにして設定する。
【００７７】
長方形状の遠隔制御装置１のモード切替の姿勢の１つ（例えば、電流姿勢）を、図３Ａに示すように遠隔制御装置１の長手方向が重力方向（または反重力方向）に沿う立て姿勢に設定する。そして、長方形状の遠隔制御装置１のモード切替の姿勢の他の１つ（例えば、電圧姿勢）を、遠隔制御装置１の短手方向が重力方向（または反重力方向）に沿う横姿勢に設定する。そして、遠隔制御装置１の姿勢を変えることで、溶接電流のモードと溶接電圧のモードとの切替を行い、溶接電流と溶接電圧のそれぞれの値を設定できる。
【００７８】
なお、溶接電流のモードに対応する姿勢と溶接電圧のモードに対応する姿勢の設定は、逆であってもよい。
【００７９】
図３Ｂに示す姿勢は、言い換えれば、表面側の長手方向の上部に表示部を有する長方形状の遠隔制御装置１の側部が重力方向または反重力方向に向く横姿勢と呼ぶことができる。また、図３Ａに示す姿勢は、側部が水平方向に向く立て姿勢と呼ぶことができる。
【００８０】
以上の通り、本実施形態では、遠隔制御装置１の姿勢を変えることによって、溶接電流または溶接電圧のモード切替を行い、それぞれの値の設定を可能とする。
【００８１】
次に、『立て姿勢』および『横姿勢』について詳細に説明する。
【００８２】
『立て姿勢』とは、図６Ａに示す遠隔制御装置１の長手方向である第１方向が図３Ａや図６Ｂに示す様に重力方向（または反重力方向）に沿っている状態のことである。『横姿勢』とは、図６Ａに示す遠隔制御装置１の短手方向である第２方向が、図３Ｂや図６Ｃに示す様に重力方向に沿っている状態のことである。
【００８３】
なお、『横姿勢』においては、表示部１５の長手方向が重力方向に沿う方向になるように配置される場合（図３Ｂに示す配置）と、さらに表示部１５の面が水平になるように配置される場合の２通りの姿勢があるが、本実施形態では、『横姿勢』には、２通りの姿勢が含まれるように設定されても良い。
【００８４】
［角度ズレの許容値］
次に、図７を用いながら、登録されるモード切替の姿勢の角度ズレの許容値について説明する。
【００８５】
角度ズレの許容値は設定可能である。遠隔制御装置１に設定される各モードの切替姿勢の方向と重力方向とのなす角度を角度θとする。角度θが所定値以下の場合には、設定されるその方向をスイッチモードの姿勢として判断するものとする。
【００８６】
例えば、図７に示すように所定値を３０度として設定しておく。遠隔制御装置１の電流のモード切替の姿勢を第１方向とする場合、第１方向がこの重力方向に対して角度θで傾いた状態でも所定値の３０度以下であるため、電流のモード切替の姿勢であると判断する。図７に示す状態では、上スイッチ６１、または下スイッチ６２のスイッチを押すことで電流の設定が可能である。
【００８７】
ただし所定値は二つ以上の方向で反応しないよう±４０度以下が好ましい。
【００８８】
なお、作業者が遠隔制御装置１の操作を行わない場合は誤動作を防ぐため操作を受け付けないようにロックスイッチまたはロックコマンド等（図示せず）により各操作の設定画面をロックすることも可能である。
【００８９】
なお、図６Ａに示すように遠隔制御装置１の側部が傾斜している場合は、表面が垂直に延伸していても、側部については斜め方向に延伸することになる。遠隔制御装置１の長手方向が上方に向かって延伸していれば、遠隔制御装置１が垂直方向（重力方向）に向かって延伸しているものとする。言い換えると、遠隔制御装置１が全体的に上方に向かって延伸していれば、遠隔制御装置１が垂直方向（重力方向）に向かって延伸しているものとする。また、水平方向についても同様である。
【００９０】
（まとめ）
本開示の溶接電源の条件を設定する遠隔制御装置１による溶接条件設定方法は、以下の通りある。
【００９１】
第１のモード切替の姿勢および第２のモード切替の姿勢が遠隔制御装置１に登録されている。そして、第１のモード切替の姿勢が溶接電流のスイッチモードに対応し、第２のモード切替の姿勢が溶接電圧のスイッチモードに対応している。更に、遠隔制御装置１の姿勢が第１のモード切替の姿勢のとき、溶接電流のスイッチモードが設定され、遠隔制御装置１の姿勢が第２のモード切替の姿勢のとき、溶接電圧のスイッチモードが設定される。溶接電流のスイッチモードまたは溶接電圧のスイッチモードが設定されると溶接条件を変更することができる。
【００９２】
さらに、遠隔制御装置１における溶接電流のスイッチモードまたは溶接電圧のスイッチモードの設定は、重力方向と遠隔制御装置１の姿勢との位置関係を検知することにより行う。
【００９３】
また、第１のモード切替の姿勢と、第２のモード切替の姿勢は、互いに異なる姿勢である。
【００９４】
また、遠隔制御装置１が延伸する方向を第１の方向とし、第１の方向と重力方向とが一致する時、溶接電流のスイッチモードに切替り、溶接電流の値を変更してもよい。
【００９５】
また、遠隔制御装置１が延伸する方向を第１の方向とし、第１の方向と重力方向とが一致する時、溶接電圧のスイッチモードに切替り、溶接電圧の値を変更しても良い。
【００９６】
また、本開示の溶接電源の条件を設定する遠隔制御装置１による溶接条件設定方法の一例として、遠隔制御装置１が上部に表示部１５を有し、表示部１５の位置が上方に位置する姿勢を第１のモード切替の姿勢として遠隔制御装置１に登録する。また、第１のモード切替の姿勢に対して遠隔制御装置１の姿勢を変えて、表示部１５の位置が左側または右側に位置する姿勢を第２のモード切替の姿勢として遠隔制御装置１に登録する方法がある。
【００９７】
本開示の溶接電源の条件を設定する遠隔制御装置１による溶接条件設定方法の別の一例として、遠隔制御装置１は長方形状であり、遠隔制御装置１が垂直方向に延伸する姿勢を、第１のモード切替の姿勢とし、遠隔制御装置１が水平方向に延伸する姿勢を、第２のモード切替の姿勢とする方法がある。
【産業上の利用可能性】
【００９８】
本開示は、遠隔制御装置を用いて溶接作業中のパラメータ調整が可能なため、条件に合わせた設定が容易に可能である。よって溶接時の品質・効率の向上ができるため産業上有用である。
【符号の説明】
【００９９】
１，１ａ，１ｂ，１ｃ  遠隔制御装置
１１  操作部
１２  記憶部
１３  測定部
１４  制御部
１５  表示部
１６  無線通信部
１７  アンテナ
２    溶接電源
２１  操作部
２２  記憶部
２４  制御部
２６  無線通信部
２７  アンテナ
２８  出力部
３    送給装置
４    トーチ
５１，５２  パワーケーブル
６１  上スイッチ
６２  下スイッチ
【図１】
2017043058.tif 000003
【図２Ａ】
2017043058.tif 000004
【図２Ｂ】
2017043058.tif 000005
【図２Ｃ】
2017043058.tif 000006
【図３Ａ】
2017043058.tif 000007
【図３Ｂ】
2017043058.tif 000008
【図４】
2017043058.tif 000009
【図５Ａ】
2017043058.tif 000010
【図５Ｂ】
2017043058.tif 000011
【図６Ａ】
2017043058.tif 000012
【図６Ｂ】
2017043058.tif 000013
【図６Ｃ】
2017043058.tif 000014
【図７】
2017043058.tif 000015
【国際調査報告】
2017043058.tif 000016
2017043058.tif 000017